(57)【要約】【課題】  複数種類の情報記憶媒体入力装置から入力される画像データに応じて、投写される画像を見ながら操作部を操作して２値化、またはＦＩＲフィルタによる輪郭補正を自在に行い、輪郭が鮮明な画像を投写することができるプロジェクタを提供する。【解決手段】  プロジェクタ１０は、複数種類の情報記憶媒体入力装置１４０と、情報記憶媒体入力装置１４０からの画像情報を再生処理する画像再生処理部１１０と、画像の輪郭補正の方式を選択する輪郭補正選択部２５０と、輪郭補正選択部２５０からの情報に基づき画像の輪郭補正を行う輪郭補正部２２０と、画像再生処理部１１０からの情報と輪郭補正部２２０からの情報に基づき輪郭補正された画像情報を出力する画像処理部２１０と、画像処理部２１０と輪郭補正部２２０と輪郭補正選択部２５０とを制御するＣＰＵ２６０と、輪郭補正選択部２５０を操作する操作部２８０と、が備えられている。【選択図】      図１
2005165107.tif 000002
【特許請求の範囲】
【請求項１】
複数種類の情報記憶媒体入力装置と、
前記情報記憶媒体入力装置からの画像情報を再生処理する画像再生処理部と、
画像の輪郭補正の方式を選択する輪郭補正選択部と、
前記輪郭補正選択部からの情報に基づき画像の輪郭補正を行う輪郭補正部と、
前記画像再生処理部からの情報と前記輪郭補正部からの情報に基づき輪郭補正された画像情報を出力する画像処理部と、
前記画像処理部と前記輪郭補正部と前記輪郭補正選択部とを制御するＣＰＵと、
前記輪郭補正選択部を操作する操作部と、
が備えられたことを特徴とするプロジェクタ。
【請求項２】
請求項１に記載のプロジェクタにおいて、
前記情報記憶媒体入力装置として、ＵＳＢ・ＴｙｐｅＡコネクタとメモリカード入力装置を備えていることを特徴とするプロジェクタ。
【請求項３】
請求項１または請求項２に記載のプロジェクタにおいて、
前記輪郭補正部が、２値化による画像処理部とＦＩＲフィルタを用いた画像処理部を備えていることを特徴とするプロジェクタ。
【請求項４】
請求項１ないし請求項３のいずれかに記載のプロジェクタにおいて、
前記２値化処理部が主に文字情報の輪郭補正を行い、前記ＦＩＲフィルタを用いた画像処理部が主に写真情報の輪郭補正を行うことを特徴とするプロジェクタ。
【請求項５】
請求項１ないし請求項４のいずれかに記載のプロジェクタにおいて、
前記輪郭補正選択部が、輪郭補正の実行か非実行、文字情報であるか写真情報であるかの選択を行うことを特徴とするプロジェクタ。
【請求項６】
請求項１ないし請求項５のいずれかに記載のプロジェクタにおいて、
前記輪郭補正部の画像の輪郭補正の閾値を前記操作部から設定可能に構成されていることを特徴とするプロジェクタ。
【発明の詳細な説明】
【技術分野】
【０００１】
本発明は、文字や写真等の画像の輪郭補正処理機能を備えるプロジェクタに関する。
【背景技術】
【０００２】
メモリカードに記憶された情報を読み出すメモリ制御装置と、このメモリカードに記憶された画像データを用いて、表示すべき画像を表す表示画像データを作成する画像処理部と、表示画像データに応じた投写画像を形成するための電気光学装置とから構成されるプロジェクタが知られている（例えば、特許文献１参照）。
また、ＤＳＣ（Ｄｉｇｉｔａｌ  Ｓｔｉｌｌ  Ｃａｍｅｒａ）を直接プロジェクタ本体にケーブル接続したり、ＤＳＣで撮像した画像情報が格納されたメモリカードを挿入して、スクリーンに投写することができるプロジェクタが上市されている（例えば、セイコーエプソン株式会社製プロジェクタＥＭＰ−７８５０）。この機能によって、例えばプレゼンテーションの場面で、手元のサンプルや文書をＤＳＣで撮像し、その場でプロジェクタによって大画面で投写するという、ＤＳＣをあたかも書画カメラであるかのような使い方が可能となっている。しかし、ＤＳＣやメモリカードに記録された画像情報が光学的にピントのずれた画像であった場合に、スクリーンに拡大投写した際に、投写画像の輪郭がぼやけたメリハリのない画質になってしまうことが考えられる。
【０００３】
ＤＳＣで撮像された画像に限らず、一般的に輪郭があいまいな画像を補正する手段として外部から入力された画像信号をＲ（赤）、Ｇ（緑）、Ｂ（青）の信号に変換する信号処理回路とライトバルブである液晶駆動回路の間に輪郭補正回路を備えたプロジェクタも知られている（例えば、特許文献２参照）。
【０００４】
【特許文献１】特開２０００−２６７１８７号公報（第４頁、第８頁、図２）
【特許文献２】特開２０００−１６３０１０号公報（第４頁、第５頁、図２）
【発明の開示】
【発明が解決しようとする課題】
【０００５】
このような特許文献１では、プロジェクタにメモリカード等の携帯型メモリや装飾メモリなどの情報記憶媒体の画像データを入力して投写画像を形成することができるが、これらの画像データは、例えば、ＤＳＣで撮像した画像情報であれば、撮像時に光学的にピントがあっていないと、プロジェクタで投写された際に、画像の輪郭が鮮明に投写されないことが考えられ、また、ＪＰＥＧやＴＩＦＦなど情報記憶媒体の種類によって画像データの品質が均一ではないため、スクリーンに拡大投写された画像が全ての情報記憶媒体で一様にくっきりとした鮮明な画像が得られないという課題がある。
【０００６】
また、特許文献２では、プロジェクタ外部からの画像信号の周波数変換後のＲ、Ｇ、Ｂデータに対して輪郭を強調するための輪郭補正処理をする輪郭補正回路を備えているが、テレビ信号などの画像入力信号に対応した輪郭補正回路によって一義的に補正量が設定されているため、ＤＳＣで撮像したような画像データに適した輪郭補正はできないという課題もある。
【０００７】
上市されているプロジェクタＥＭＰ−７８５０は、写真情報や文字情報に特化した輪郭補正機能は備えておらず、画像データの種類によって、適切な輪郭補正ができない。このためＤＳＣで撮像された画像データは光学的にピントがずれてしまっていることがあるが、この画像データをプロジェクタによって使用して大画面に投写すると、画像の輪郭のあいまいさが更に強調されてしまうが、これを適当な輪郭に補正する手段がないという課題があった。例えば、この画像データが文書主体の情報であった場合は、内容の判別が困難となってしまっていた。
【０００８】
本発明の目的は、複数種類の情報記憶媒体入力装置から入力される画像データに応じて、投写される画像を見ながら操作部を操作して２値化、またはＦＩＲフィルタによる輪郭補正を自在に行い、輪郭が鮮明な画像を投写することができるプロジェクタを提供することである。
【課題を解決するための手段】
【０００９】
本発明のプロジェクタは、複数種類の情報記憶媒体入力装置と、前記情報記憶媒体入力装置からの画像情報を再生処理する画像再生処理部と、画像の輪郭補正の方式を選択する輪郭補正選択部と、前記輪郭補正選択部からの情報に基づき画像の輪郭補正を行う輪郭補正部と、前記画像再生処理部からの情報と前記輪郭補正部からの情報に基づき輪郭補正された画像情報を出力する画像処理部と、前記画像処理部と前期輪郭補正部と前記輪郭補正選択部とを制御するＣＰＵと、前記輪郭補正選択部を操作する操作部と、が備えられたことを特徴とする。
【００１０】
この発明によれば、このプロジェクタは、複数種類の情報記憶媒体入力装置を備えている。例えば、ＤＳＣ（Ｄｅｇｉｔａｌ  Ｓｔｉｌｌ  Ｃａｍｅｒａ）によって撮像された写真情報あるいは文字情報主体の画像データをケーブル接続経由によって、或いは、この画像データが格納されたメモリカードを経由して画像情報を取り込むことが可能であり、これらの画像情報に対応した輪郭補正の方式を輪郭補正選択部で選択し、輪郭補正が行われるために、文字情報や写真情報に係わらず鮮明で見やすい投写画像を映し出すことができる。
【００１１】
また、輪郭補正選択部を選択操作する操作部を備えているので、輪郭補正の方式を選択するとともに、輪郭補正のレベルを選択的に設定ができるため最適な投写画像が得られるという効果がある。
【００１２】
本発明のプロジェクタは、前記情報記憶媒体入力装置として、ＵＳＢ・ＴｙｐｅＡコネクタとメモリカード入力装置を備えていることが好ましい。
ここで、ＵＳＢ・ＴｙｐｅＡコネクタには、ＤＳＣがＵＳＢケーブルで接続されて画像情報が入力され、メモリカード入力装置には、ＰＣカード等に格納された画像情報が入力される。
【００１３】
この発明によれば、前述したように輪郭補正選択部で入力される画像情報に対応して画像の輪郭補正ができるために、写真や文字などの画像特性が異なる画像情報にも対応して鮮明な投写画像を得ることができる。このことから、いいかえれば、複数種類の情報記憶媒体入力装置を搭載することができるということである。
【００１４】
本発明のプロジェクタは、前記輪郭補正部が、２値化による画像処理部とＦＩＲフィルタを用いた画像処理部を備えていることが望ましい。
【００１５】
画像情報としては、文字情報、写真、絵等があり、また、モノクロやカラーのものもある。従って、本発明では、２値化による画像処理部とＦＩＲ（Ｆｉｎｉｔｅ  Ｉｍｐｕｌｓ  Ｒｅｓｐｏｎｓｅ）フィルタを共に備えているために、多種類の画像データの輪郭補正ができ、鮮明な投写画像を得ることができる。一般的には画像の輪郭強調の方法として、画像を２次元座標の関数で表現しラプラシアンを求めてこれを原画像に重畳する方法も知られているが、この発明ではＦＩＲフィルタを用いることとして説明する。
【００１６】
本発明のプロジェクタは、前記２値化による画像処理部が主に文字情報主体の画像データの輪郭補正を行い、前記ＦＩＲフィルタを用いた画像処理部が主に写真情報主体の画像データの輪郭補正を行うことが望ましい。
【００１７】
この発明によれば、文字情報は一般的にモノクロデータとして表現できることが多いため、階調データの２値化による画像処理部による輪郭補正が適当であり、写真、絵等の画像データは、モノクロデータの他にカラーデータとして扱うことが多いため、これらの輪郭補正手段としてはＦＩＲフィルタを用いた輪郭補正が適当である。本発明では、２種類の輪郭補正手段を備えているので、画像データに対応して輪郭補正部を選択して種類の異なる画像データでも適切な輪郭補正ができるため、鮮明な投写画像を得ることができる。
【００１８】
また、本発明によれば、前記輪郭補正選択部が、輪郭補正の実行または非実行、文字情報であるか写真情報であるかの選択を行うことが望ましい。
【００１９】
この発明によれば、輪郭補正選択部によって、投写画像が輪郭補正をしなくても鮮明である場合は、輪郭補正を禁止（輪郭補正をしなくてもよい）し、輪郭補正を必要とするときは輪郭補正を実行することを選択することができる。また、出力される画像情報が文字情報であるか、写真情報であるかを判断して、その情報を前述の輪郭補正部に入力することで２値化またはＦＩＲフィルタによる輪郭補正を行うことができる。このように、輪郭補正選択部によって、輪郭補正をするか、しないか、および輪郭補正の方式を選択的に設定することで、最適な輪郭補正を行うことができるという効果がある。
【００２０】
さらに、本発明のプロジェクタは、前記輪郭補正部の画像の輪郭補正の閾値を前記操作部から設定可能に構成されていることが好ましい。
ここで、操作部としては、赤外線入力装置、操作ボードなどのマニュアル入力装置を採用することができる。
【００２１】
このような構成では、操作部によって、例えば、２値化による輪郭補正の場合には、階調の閾値を任意に設定することができ、ＦＩＲフィルタによる輪郭補正の場合には、画像再生処理部から出力されるＲ，Ｇ，Ｂデータの原周波数に対する補正周波数の閾値を任意に設定することができるので、投写された画像を見ながら、鮮明で見やすい画像を得ることができる。
【発明を実施するための最良の形態】
【００２２】
以下、本発明の実施の形態を図面に基づいて説明する。
図１、図２は本発明の実施形態のプロジェクタの構成と動作手順が示されている。
【実施例】
【００２３】
図１は、本発明の実施形態のプロジェクタ１０の構成が示され、図２は、本実施形態の動作手順が示されている。
図１は、本実施形態の構成を示すブロック図である。図１において、プロジェクタ１０は、基本構成として、外部の情報記憶媒体入力装置１４０からの画像情報を入力し、Ｒ，Ｇ，Ｂの画像信号として再生出力する画像再生処理部１１０と、この画像信号を投写画像信号に処理するためのイメージプロセッサ２００と、処理された画像信号に基づいて液晶ライトバルブ５００を駆動するための液晶駆動回路３００と、画像を投写する投写レンズ６００を備えている。
【００２４】
情報記憶媒体入力装置１４０としては、ＤＳＣで撮像された画像データをＤＳＣ本体からＵＳＢケーブルを介して接続されるＵＳＢ・ＴｙｐｅＡ（Ｕｎｉｖｅｒｓａｌ  Ｓｅｒｉａｌ  Ｂｕｓ・タイプＡ）コネクタ１５０を備えている。画像データは、ＵＳＢホストコントローラ１２０で読み込みそのデータが画像再生処理部１１０に入力される。
【００２５】
一方、メモリカードは、情報記憶媒体入力装置１４０のカード挿入口１６０に挿着され、メモリカードコントローラ１３０で画像データを読み込み、そのデータが画像再生処理部１１０に入力される。
この際、カード挿入口１６０及びメモリカードコントローラ１３０は、１種類に限定されるものではなく、メモリカードの種類に応じた規格を選択して備えることができる。メモリカードとしては、ＰＣカード、ＣＦカード（コンパクトフラッシュカード、米ＳａｎＤｉｓｋ Ｃｏｒｐｏｒａｔｉｏｎの登録商標）、スマートメディア（株式会社東芝の商標）、ＳＤメモリカード、ＭＭＣ（ＭｕｌｔｉＭｅｄｉａＣａｒｄ（ＴＭ）、独Ｉｎｆｉｎｅｏｎ  Ｔｅｃｈｎｏｌｏｇｉｅｓ  ＡＧの商標）、メモリースティック（ソニー株式会社の商標）などを使用することができる。
【００２６】
画像再生処理部１１０は、ＵＳＢホストコントローラ１２０またはメモリカードコントローラ１３０から入力されたＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）やＴＩＦＦ（Ｔａｇｇｅｄ  Ｉｍａｇｅ  Ｆｉｌｅ Ｆｏｒｍａｔ）形式等の画像データを入力し、Ｒ，Ｇ，Ｂ信号に変換してイメージプロセッサ２００に送出する。
【００２７】
イメージプロセッサ２００は、詳しくは、後述する画像処理部２１０、輪郭補正部２２０、輪郭補正選択部２５０と、これらを制御するＣＰＵ（中央演算処理部）２６０と記憶装置２７０とを備えている。画像再生処理部１１０から送出されるＲ，Ｇ，Ｂデータは画像処理部２１０に入力され、一方、画像再生処理部１１０からは、写真データが入力された場合に記憶装置２７０から写真画像用のＦＩＲフィルタ係数を呼び出す命令信号をＣＰＵ２６０に出力する。
【００２８】
画像処理部２１０は、画像投写に必要な画素数を拡大、縮小するスケーリング処理、フレームレート処理であるスキャンコンバート処理、ＬＣＤ（液晶表示）コントローラの機能等の画像投写ができる画像情報に変換する機能が備えられている。また、画像再生処理部１１０から入力されたＲ，Ｇ，Ｂデータに対して輪郭補正部２２０から入力される２値化、またはＦＩＲフィルタによる輪郭補正情報に基づき輪郭補正を行う機能を備える。
【００２９】
ＣＰＵ２６０は、イメージプロセッサ２００内の画像処理部２１０、輪郭補正部２２０、輪郭補正選択部２５０を制御する機能と、記憶装置２７０に記憶されているＦＩＲフィルタ係数を呼び出す機能を備えている。
なお、記憶装置２７０は、本実施形態ではイメージプロセッサ２００内部に備えているが、イメージプロセッサ２００の外部に備えることができる。
輪郭補正部２２０は、操作部２８０からの命令に基づき輪郭補正情報を画像処理部２１０に出力する。
【００３０】
操作部２８０は、赤外線入力装置２８５とマニュアル入力装置２９０とを備え、赤外線入力装置２８５は赤外線リモートコントローラの受光装置であり、マニュアル入力装置２９０はタッチパネルまたは、入力ボタンを備える操作ボード等の入力手段である。これらの操作部２８０からの輪郭補正の実行、非実行の選択情報と、入力される画像データが文字中心で構成された画像情報であるか、写真や絵等で構成された画像情報であるかの選択情報が輪郭補正選択部２５０に出力される。
【００３１】
図示しないが、マニュアル入力装置としてのタッチパネル及び操作ボードには、少なくとも輪郭補正の実行、非実行を選択する操作部と、入力される画像情報が文字中心の文書情報であるか、写真や絵等の画像情報であるかを選択する操作部が備えられている。また、赤外線入力装置２８５に情報を入力するリモートコントローラにも同様な操作部が備えられている。
【００３２】
輪郭補正選択部２５０は、２値化による画像処理部（２値化画像処理部）２３０とＦＩＲフィルタによる画像処理部（ＦＩＲ画像処理部）２４０を備えている。前述の操作部２８０で文書データが選択されると２値化画像処理部２３０が選択され、２値化による輪郭補正が行われ、写真データが選択されるとＦＩＲフィルタ画像処理部２４０が選択される。
【００３３】
ここで、２値化による画像処理としては、操作部２８０からの閾値変更の情報により、記憶装置２７０に記憶された階調テーブルから適正な階調テーブル値を選択して輪郭補正が行われる。仮に、白黒２５６階調の階調テーブルを持っている場合、中心の閾値はテーブル値１２８であるが、全体が白っぽい画像（輝度階調が高い）の場合は、閾値をテーブル値１２８のから低いテーブル値に変更し、全体が黒っぽい画像（輝度階調が低い）の場合は、閾値をテーブル値１２８から高い値に変更して輪郭を強調する。
【００３４】
また、ＦＩＲフィルタによる画像処理の場合、ＦＩＲフィルタはディジタルフィルタであり、画像再生処理部１１０から出力されるＲ，Ｇ，Ｂの原画像（原信号）に対してＦＩＲフィルタ画像処理部２４０に備えられた輪郭強調回路（図示せず）から補償信号を発生させて、この補償信号を原信号に重畳することで輪郭を強調させることができるが、詳しくは、この補償信号に、あらかじめ記憶装置２７０に記憶されているＦＩＲフィルタ係数テーブルから適切な係数αを選択して掛け合わせ、原信号（一般に１クロック、または１ライン分遅延させた）に加えることによって輪郭が強調される。
【００３５】
このようなＦＩＲフィルタは、原信号の周波数の高域を持ち上げるような場合は、ハイパスフィルタの如くの機能を有し、低域を下げるような場合は、ローパスフィルタの如くの機能を有するという特徴があるが、これらは、操作部２８０の操作によって適切な閾値が選択されて、画像の輪郭が強調される。
【００３６】
従って、スクリーン７００に投写された画像を見ながら、操作部２８０を操作して輪郭補正部２２０によって輪郭補正データを作成し、画像処理部２１０において輪郭補正を行い、液晶駆動回路３００に出力される。
【００３７】
液晶駆動回路３００は、Ｒ，Ｇ，Ｂ用の液晶表示装置を含むライトバルブ５００を駆動制御し、投写レンズ６００でスクリーン７００に画像を拡大投写させる。
プロジェクタ１０は、前述した構成要素のほかに光源４００や、図示しないが電源装置や冷却装置等を備えている。
【００３８】
なお、プロジェクタ１０は、画像入力装置として前述したＤＳＣやメモリカード以外に、ＤＶＤプレーヤー（Ｄｉｇｉｔａｌ  Ｖｅｒｓａｔｉｌｅ  Ｄｉｓｃ）８００、ＰＣ（Ｐｅｒｓｏｎａｌ  Ｃｏｍｐｕｔｅｒ）９００を接続して使用することができる。これらは、それぞれ内蔵された画像再生処理装置を備えていることが一般的であり、イメージプロセッサ２００の画像処理部２１０に画像信号を入力する構成になっている。
【００３９】
続いて、このプロジェクタ１０の輪郭補正の動作手順について説明する。
図２は、輪郭補正の動作手順を示すフローチャートである。図２において、まず、通常にＵＳＢ経由或いはメモリカード経由でＤＳＣ撮像画像を投写（ＳＴ１）し、スクリーン７００に投写された画像を見て輪郭補正を実行するか、非実行かを操作部２８０を操作して選択する（ＳＴ２）。輪郭補正を実行する、を選択した場合は、次に文字情報であるか文字情報ではないかを操作部２８０を操作して選択する（ＳＴ３）。文字情報を選択しないということは、選択肢が２者択一になっているため、写真情報を選択することになる。続いて文字情報を選択すると（ＳＴ４）、２値化による画像処理が行われ輪郭補正（輪郭強調）が行われる（ＳＴ６）が、輪郭補正のレベルは、操作部２８０を操作して階調の閾値を自在に選択して、最も画像の輪郭が鮮明になるように調整する。
【００４０】
写真情報を選択（ＳＴ５）したときは、やはり、操作部２８０で閾値レベルを自在に選択し、対応した係数によるＦＩＲフィルタによって輪郭補正（輪郭強調）を行い（ＳＴ６）、最も画像の輪郭が鮮明になるように調整する。
【００４１】
このようにして、投写画像の輪郭補正が行われるが、この動作手順は、前述した動作手順に限定されるものではなく、例えば、ＳＴ３の文字情報選択工程とＳＴ２の輪郭補正の実行選択工程を入れ替えて、先に、入力される情報が文字情報か、写真情報かを選択しておき、その後、輪郭補正を実行するか、しないかを選択する動作手順であってもよい。
【００４２】
また、あらかじめ投写しようとしている画像が、文字情報主体の画像であるのか、或いは写真画像であるのかを、操作者が知っている場合が多いので、画像投写前に文字情報であるか、写真情報であるかを操作部２８０で選択して切換えておいてもよい。この際、この画像情報の選択のときに、輪郭補正の閾値レベルを、それぞれの中心値に初期化することが好ましい。
【００４３】
従って、本発明のプロジェクタ１０は、ＤＳＣの画像情報を入力するＵＳＢ・ＴｙｐｅＡコネクタ１５０、メモリカード等を入力するカード挿入口１６０などの複数種類の情報記憶媒体入力装置１４０を備え、ＵＳＢ・ＴｙｐｅＡコネクタには、主に写真情報が入力され、メモリカード入力装置には、ＰＣカード等の主に文字情報中心の情報が入力される。
さらに、これらの情報記憶媒体入力装置に対応したＵＳＢホストコントローラ１２０、メモリカードコントローラ１３０を備えているために、多様な画像情報を最適な画像再生処理を行い、鮮明な投写画像を得ることができる。
【００４４】
また、本発明によれば、輪郭補正選択部２５０を備えており、入力される画像情報に対応して、文字情報が入力される場合は、２値化による輪郭補正（輪郭強調）を行い、写真や絵のような画像情報が入力される場合は、ＦＩＲフィルタによる画像補正（輪郭強調）を選択して、画像処理部に画像補正情報を入力するために、文字情報や写真情報に係わらず輪郭が鮮明で見やすい投写画像を映し出すことができる。
【００４５】
さらに、本発明では、操作部２８０を備えているため、投写画像が輪郭補正をしなくても鮮明である場合は、輪郭補正を非実行（輪郭補正をしなくてもよい）を選択し、輪郭補正を必要とするときは輪郭補正を実行することを任意に選択することができる。
また、操作部２８０によって、あらかじめ、プロジェクタ１０に入力される画像情報が文字情報であるか、写真情報であるかを選択指定することができる。
【００４６】
また、本発明のプロジェクタ１０は、操作部２８０を操作して、輪郭補正部２２０の画像データの輪郭補正の閾値を設定可能に構成されているため、文字情報が主である場合は、階調の閾値を自在に選択設定することができ、写真や絵の画像情報が主の場合は、補正周波数の閾値を自在に選択設定することができる。従って、スクリーン７００に投写された画像を見ながら、最も鮮明で見やすい画像を得ることができる。
【００４７】
また、本発明では、操作部２８０は、赤外線入力装置２８５とマニュアル入力装置（入力ボード）２９０を備えているため、リモートコントロール操作をすることができ、またマニュアル入力装置２９０のボタン操作や、タッチパネル操作で画像の輪郭補正の設定を自在に行うことができる。
【００４８】
なお、本発明は前述の実施形態に限定されるものではなく、本発明の目的を達成できる範囲での変形、改良等は本発明に含まれるものである。
例えば、前述の実施形態では、情報記憶媒体入力装置１４０から入力される画像情報について操作部２８０を操作して輪郭補正をする構造について説明したが、ＤＶＤプレーヤー８００やＰＣ９００で写真データなどの静止画像を再生する場合、これらの入力される画像情報についても、操作部２８０によって、文字情報であるか、写真などの画像情報であるかを選択し、また、輪郭補正をすることができる。
【００４９】
さらに、文字情報は２値化による輪郭補正、写真情報はＦＩＲフィルタによる輪郭補正を行うように構成されているが、それぞれに対応する輪郭補正の方式は限定されるものではなく、輪郭補正選択部２５０によって文字情報もＦＩＲフィルタによる輪郭補正を選択するように構成してもよい。このようにすれば、２値化画像処理部２３０をプロジェクタ１０に持たなくてよくなる。
【００５０】
従って、前述した実施形態によれば、ＤＳＣで撮像した画像データを複数種類の情報記憶媒体入力装置から入力することが可能で、画像データに応じて、投写される画像を見ながら操作部２８０を操作して２値化、またはＦＩＲフィルタによる輪郭補正を自在に行い、ＤＳＣで撮像した画像データが光学的にピントがずれていても、輪郭補正を行い鮮明な画像を投写することができるプロジェクタを提供することができる。
【図面の簡単な説明】
【００５１】
【図１】本発明の実施形態に係るプロジェクタの構成を示すブロック図。
【図２】本発明の実施形態に係るプロジェクタのフローチャート。
【符号の説明】
【００５２】
１０…プロジェクタ、１１０…画像再生処理部、１２０…ＵＳＢホストコントローラ、１３０…メモリカードコントローラ、１４０…情報記憶媒体入力装置、１５０…ＵＳＢ・ＴｙｐｅＡコネクタ、１６０…カード挿入口、２００…イメージプロセッサ、２１０…画像処理部、２２０…輪郭補正部、２３０…２値化画像処理部、２４０…ＦＩＲフィルタ画像処理部、２５０…輪郭補正選択部、２６０…ＣＰＵ、２７０…記憶装置、２８０…操作部、２８５…赤外線入力装置、２９０…マニュアル入力装置、３００…液晶駆動回路、４００…光源、５００…ライトバルブ、６００…投写レンズ、７００…スクリーン、８００…ＤＶＤプレーヤー、９００…ＰＣ。
【図１】
2005165107.tif 000003
【図２】
2005165107.tif 000004